(57)【要約】粘度指数向上効果が高く、潤滑油組成物の低温粘度を上昇させにくい粘度指数向上剤を提供する。本発明は、下記一般式（１）で表される単量体（ａ）を必須構成単量体とする溶解性パラメーターが８．４〜９．７の（共）重合体（Ａ）を含有してなる粘度指数向上剤である。式（１）中、Ｒ1は水素原子又はメチル基；X１は−Ｏ−又は−ＮＨ−で表される基；Ｙは炭素数３〜１５の分岐アルキル基；Ａ１は炭素数２〜４のアルキレン基；ｍは０〜２０の数であり、ｍが２以上の場合のＡ１は同一でも異なっていてもよく、（Ａ１Ｏ）ｍ部分はランダム結合でもブロック結合でもよい。【化１】2012081180.tif 000018
2012081180.tif 000002
【特許請求の範囲】
【請求項１】
下記一般式（１）で表される単量体（ａ）を必須構成単量体とする溶解性パラメーターが８．４〜９．７の（共）重合体（Ａ）を含有してなる粘度指数向上剤。
【化１】
2012081180.tif 000013
［Ｒ1は水素原子又はメチル基；Ｘ１は−Ｏ−又は−ＮＨ−で表される基；Ｙは炭素数３〜１５の分岐アルキル基；Ａ１は炭素数２〜４のアルキレン基；ｍは０〜２０の数であり、ｍが２以上の場合のＡ１は同一でも異なっていてもよく、（Ａ１Ｏ）ｍ部分はランダム結合でもブロック結合でもよい。］
【請求項２】
単量体（ａ）が、一般式（１）におけるＹとして下記一般式（２）〜（４）のいずれかで表される基を有する単量体である請求項１記載の粘度指数向上剤。
【化２】
2012081180.tif 000014
［Ｒ２及びＲ３は、それぞれ独立に炭素数１〜１３の直鎖アルキル基又は炭素数３〜１３の分岐アルキル基；Ｒ４は水素原子又は炭素数１〜１２の直鎖アルキル基若しくは炭素数３〜１２の分岐アルキル基；Ｒ２〜Ｒ４の合計炭素数は２〜１４である。］
【化３】
2012081180.tif 000015
［Ｒ５、Ｒ６及びＲ７は、それぞれ独立に水素原子又は炭素数１〜１０の直鎖アルキル基又は炭素数３〜１０の分岐アルキル基であって、Ｒ５、Ｒ６及びＲ７のうちの２つが水素原子の場合、残りは炭素数３〜１０の分岐アルキル基；Ｒ５〜Ｒ７の合計炭素数は２〜１２である。］
【化４】
2012081180.tif 000016
［Ｒ８及びＲ９は、それぞれ独立に水素原子又は炭素数１〜１０の直鎖アルキル基若しくは炭素数３〜１０の分岐アルキル基；Ｒ10及びＲ11は、それぞれ独立に炭素数１〜１２の直鎖アルキル基又は炭素数３〜１２の分岐アルキル基；Ｒ12は、水素原子又は炭素数１〜１１の直鎖アルキル基若しくは炭素数３〜１１の分岐アルキル基；Ｒ８〜Ｒ12の合計炭素数は２〜１３である。］
【請求項３】
（Ａ）の溶解性パラメーターと基油の溶解性パラメーターの差の絶対値が０．５〜１．２である請求項１又は２記載の粘度指数向上剤。
【請求項４】
（ａ）が（メタ）アクリル酸エステルである請求項１〜３のいずれかに記載の粘度指数向上剤。
【請求項５】
（Ａ）が、（Ａ）の構成単量体として更に一般式（５）で表される単量体（ｂ）を構成単量体とする共重合体である請求項１〜４のいずれかに記載の粘度指数向上剤。
【化５】
2012081180.tif 000017
［Ｒ13は水素原子又はメチル基；Ｘ２は−Ｏ−又は−ＮＨ−で表される基；Ｒ14は炭素数１６〜６０の分岐アルキル基；Ａ２は炭素数２〜４のアルキレン基；ｎは０〜２０の数であり、ｎが２以上の場合のＡは同一でも異なっていてもよく、（Ａ２Ｏ）ｎ部分はランダム結合でもブロック結合でもよい。］
【請求項６】
（Ａ）が、（Ａ）の構成単量体として更に炭素数１〜４の直鎖アルキル基を有する（メタ）アクリル酸アルキルエステル（ｃ）及び／又は炭素数８〜３６の直鎖アルキル基を有する（メタ）アクリル酸アルキルエステル（ｄ）を含有してなる共重合体である請求項１〜５のいずれかに記載の粘度指数向上剤。
【請求項７】
（Ａ）が、（Ａ）の構成単量体として更に窒素原子含有ビニル単量体（ｅ）を含有してなる共重合体である請求項１〜６のいずれかに記載の粘度指数向上剤。
【請求項８】
（Ａ）の重量平均分子量が５，０００〜１，０００，０００である請求項１〜７のいずれかに記載の粘度指数向上剤。
【請求項９】
（Ａ）の結晶化温度が−３０℃以下である請求項１〜８のいずれかに記載の粘度指数向上剤。
【請求項１０】
更に、（Ａ）以外の（共）重合体（Ｂ）を、（Ａ）の重量に基づいて０．０１〜３０重量％含有してなる請求項１〜９のいずれかに記載の粘度指数向上剤。
【請求項１１】
請求項１〜１０のいずれかに記載の粘度指数向上剤及び基油を含有してなる潤滑油組成物。
【請求項１２】
基油の１００℃の動粘度が１〜１５ｍｍ２／ｓであり、かつ基油の粘度指数が９０以上である請求項１１記載の潤滑油組成物。
【発明の詳細な説明】
【技術分野】
【０００１】
本発明は、粘度指数向上剤及び粘度指数向上剤を含有してなる潤滑油組成物に関する。
【背景技術】
【０００２】
自動車等に使用される潤滑油や作動油等は、高温になるほど粘度が低下するが、実用上は低温から高温までの広範囲にわたり、粘度ができるだけ変化しないことが望ましい。そこで潤滑油に粘度指数向上剤を添加して粘度の温度依存性を改善する方法が広く行われている。そのような粘度指数向上剤としては、メタクリル酸エステル共重合体（特許文献１〜３）及びオレフィン共重合体（特許文献４）等が知られている。
しかしながら、上記の粘度指数向上剤は、粘度指数向上効果が未だ十分ではなく、また、潤滑油組成物に添加した場合に潤滑油組成物の低温での粘度が上昇するという問題があった。
【先行技術文献】
【特許文献】
【０００３】
【特許文献１】特許第２７３２１８７号公報
【特許文献２】特開平８−５３６８３号公報
【特許文献３】特開２００４−３０７５５１号公報
【特許文献４】特開２００５−２００４５４号公報
【発明の概要】
【発明が解決しようとする課題】
【０００４】
本発明の目的は、粘度指数向上効果が高く、潤滑油組成物の低温粘度を上昇させにくい粘度指数向上剤を提供することである。
【課題を解決するための手段】
【０００５】
本発明者等は、鋭意検討した結果、本発明に至った。すなわち本発明は、下記一般式（１）で表される単量体（ａ）を必須構成単量体とする溶解性パラメーターが８．４〜９．７の（共）重合体（Ａ）を含有してなる粘度指数向上剤、並びに前記粘度指数向上剤及び基油を含有してなる潤滑油組成物である。【０００６】
【化１】
2012081180.tif 000003
【０００７】
Ｒ1は水素原子又はメチル基；Ｘ１は−Ｏ−又は−ＮＨ−で表される基；Ｙは炭素数３〜１５の分岐アルキル基；Ａ１は炭素数２〜４のアルキレン基；ｍは０〜２０の数であり、ｍが２以上の場合のＡ１は同一でも異なっていてもよく、（Ａ１Ｏ）ｍ部分はランダム結合でもブロック結合でもよい。
【発明の効果】
【０００８】
本発明の粘度指数向上剤を含有してなる潤滑油組成物は、粘度指数向上効果が高く、潤滑油組成物の低温粘度を上昇させにくいという効果を奏する。
【発明を実施するための形態】
【０００９】
本発明の粘度指数向上剤は、一般式（１）で表される単量体（ａ）を必須構成単量体とする溶解性パラメーターが８．４〜９．７の（共）重合体（Ａ）を含有してなる。なお、本発明における「（共）重合体」とは、単独重合体又は共重合体を意味する。
【００１０】
一般式（１）におけるＲ１は、水素原子又はメチル基である。これらのうち、粘度指数向上効果の観点から好ましいのは、メチル基である。
【００１１】
一般式（１）におけるＸ１は、−Ｏ−又は−ＮＨ−で表される基である。これらのうち、粘度指数向上効果の観点から好ましいのは−Ｏ−で表される基である。
【００１２】
一般式（１）におけるＡ１は、炭素数２〜４のアルキレン基である。炭素数２〜４のアルキレン基としては、エチレン基、１，２−又は１，３−プロピレン基、及び１，２−、１，３−又は１，４−ブチレン基が挙げられる。これらのうち、粘度指数向上効果の観点から好ましいのは、エチレン基及び１，２−プロピレン基である。
【００１３】
一般式（１）におけるｍは０〜２０の数であり、粘度指数向上効果の観点から、好ましくは０〜５の数であり、更に好ましくは０〜２の数である。
一般式（１）におけるｍが２以上の場合のＡは同一でも異なっていてもよく、（Ａ１Ｏ）ｍ部分はランダム結合でもブロック結合でもよい。
【００１４】
一般式（１）におけるＹは、炭素数３〜１５の分岐アルキル基であり、具体的には下記一般式（２）〜（４）のいずれかで表される基が挙げられる。
【００１５】
【化２】
2012081180.tif 000004
【００１６】
Ｒ２及びＲ３は、それぞれ独立に炭素数１〜１３の直鎖アルキル基又は炭素数３〜１３の分岐アルキル基；Ｒ４は水素原子又は炭素数１〜１２の直鎖アルキル基若しくは炭素数３〜１２の分岐アルキル基；Ｒ２〜Ｒ４の合計炭素数は２〜１４である。
炭素数１〜１３の直鎖アルキル基としては、メチル基、エチル基、ｎ−プロピル基、ｎ−ブチル基、ｎ−ペンチル基、ｎ−へキシル基、ｎ−ヘプチル基、ｎ−オクチル基、ｎ−ノニル基、ｎ−デシル基、ｎ−ウンデシル、ｎ−ドデシル基及びｎ−トリデシル基が挙げられる。
炭素数３〜１３の分岐アルキル基としては、イソプロピル基、１−メチル−ｎ−プロピル基、イソブチル基、ｔ−ブチル基、２−メチル−ｎ−ブチル基、イソペンチル基、ネオペンチル基、イソヘキシル基、１，２−ジメチル−ｎ−ブチル基、１，２−ジメチル−ｎ−ペンチル基、イソオクチル基、２−エチルヘキシル基、イソノニル基、３，５，５−トリメチルヘキシル基、２，４，６−トリメチルヘプチル基、２−メチル−ｎ−ノニル基、イソデシル基、２−メチル−ｎ−デシル基、２−エチル−ｎ−ノニル基、イソウンデシル基、イソドデシル基及び２−エチル−ｎ−デシル基等が挙げられる。
炭素数１〜１２の直鎖アルキル基としては、一般式（２）におけるＲ２及びＲ３として例示した炭素数１〜１３の直鎖アルキル基のうち、炭素数１〜１２の直鎖アルキル基に相当するものが挙げられる。
炭素数３〜１２の分岐アルキル基としては、一般式（２）におけるＲ２及びＲ３として例示した炭素数３〜１３の分岐アルキル基のうち、炭素数３〜１２の分岐アルキル基に相当するものが挙げられる。
【００１７】
一般式（２）におけるＲ２〜Ｒ４の合計炭素数は２〜１４であり、潤滑油組成物の低温粘度の観点から、好ましくは４〜１２であり、更に好ましくは５〜１２である。
【００１８】
一般式（２）で表される基としては、イソプロピル基、１−メチル−ｎ−ブチル基、１−メチル−ｎ−ペンチル基、１−エチル−２，２−ジメチル−ｎ−プロピル基、１−メチル−ｎ−ヘキシル基、１−ｎ−プロピル−ｎ−ヘキシル基、１−ｎ−プロピル−ｎ−オクチル基、１−メチル−ｎ−ノニル基、１−メチル−ｎ−デシル基、１−イソブチル−１−メチル−ｎ−ヘキシル基、１，１−ジメチル−ｎ−デシル基、１，３−ジメチル−ｎ−デシル基、１−イソブチル−３，５，７−トリメチル−ｎ−オクチル基、１−メチル−ｎ−ウンデシル基、１−エチル−３−メチル−ｎ−デシル基、１−エチル−１，３−ジメチル−ｎ−デシル基、１−ｎ−ペンチル−ｎ−デシル基及び１−エチル−ｎ−トリデシル基等が挙げられる。
【００１９】
【化３】
2012081180.tif 000005
【００２０】
Ｒ５、Ｒ６及びＲ７は、それぞれ独立に水素原子又は炭素数１〜１０の直鎖アルキル基又は炭素数３〜１０の分岐アルキル基であって、Ｒ５、Ｒ６及びＲ７のうちの２つが水素原子の場合、残りは炭素数３〜１０の分岐アルキル基；Ｒ５〜Ｒ７の合計炭素数は２〜１２である。
炭素数１〜１０の直鎖アルキル基としては、一般式（２）におけるＲ２及びＲ３として例示した炭素数１〜１３の直鎖アルキル基のうち、炭素数１〜１０の直鎖アルキル基に相当するものが挙げられる。
炭素数３〜１０の分岐アルキル基としては、一般式（２）におけるＲ２及びＲ３として例示した炭素数３〜１３の分岐アルキル基のうち、炭素数３〜１０の分岐アルキル基に相当するものが挙げられる。
【００２１】
一般式（３）におけるＲ５、Ｒ６及びＲ７のうちの２つが水素原子の場合、残りは炭素数３〜１０の分岐アルキル基であり、粘度指数向上効果の観点から、好ましくは炭素数３〜９の分岐アルキル基であり、更に好ましくは炭素数５〜９の分岐アルキル基である。
一般式（３）におけるＲ５〜Ｒ７の合計炭素数は２〜１２であり、粘度指数向上効果の観点から、好ましくは３〜１０であり、更に好ましくは５〜１０である。
【００２２】
一般式（３）で表される基としては、イソペンチル基、３−メチル−ｎ−ペンチル基、３−エチル−ｎ−ペンチル基、３，３−ジメチル−ｎ−ヘキシル基、イソデシル基、３−ｎ−プロピル−４，４−ジメチル−ｎ−ペンチル基、３，４，５−トリメチル−ｎ−ヘプチル基、４−イソプロピル−５，５−ジメチル−ｎ−ヘキシル基、３，４，５，６−テトラメチル−ｎ−ヘプチル基、３，１０−ジメチル−ｎ−ウンデシル基、３−メチル−４，４−ジイソプロピル−ｎ−ヘキシル基、３−ｎ−ペンチル−ｎ−オクチル基、３−エチル−４，５，６−トリメチル−ｎ−オクチル基、３、５−ジエチル−ｎ−ノニル基、４，５，６，７−テトラメチル−ｎ−ノニル基、３−エチル−４−ｔ−ブチル−ｎ−ヘプチル基及び３−メチル−ｎ−テトラデシル基等が挙げられる。
【００２３】
【化４】
2012081180.tif 000006
【００２４】
Ｒ８及びＲ９は、それぞれ独立に水素原子又は炭素数１〜１０の直鎖アルキル基若しくは炭素数３〜１０の分岐アルキル基；Ｒ10及びＲ11は、それぞれ独立に炭素数１〜１２の直鎖アルキル基又は炭素数３〜１２の分岐アルキル基；Ｒ12は、水素原子又は炭素数１〜１１の直鎖アルキル基若しくは炭素数３〜１１の分岐アルキル基；Ｒ８〜Ｒ12の合計炭素数は２〜１３である。
炭素数１〜１０の直鎖アルキル基としては、一般式（２）におけるＲ２及びＲ３として例示した炭素数１〜１３の直鎖アルキル基のうち、炭素数１〜１０の直鎖アルキル基に相当するものが挙げられる。
炭素数３〜１０の分岐アルキル基としては、一般式（２）におけるＲ２及びＲ３として例示した炭素数３〜１３の分岐アルキル基のうち、炭素数３〜１０の分岐アルキル基に相当するものが挙げられる。
炭素数１〜１２の直鎖アルキル基としては、一般式（２）におけるＲ２及びＲ３として例示した炭素数１〜１３の直鎖アルキル基のうち、炭素数１〜１２の直鎖アルキル基に相当するものが挙げられる。
炭素数３〜１２の分岐アルキル基としては、一般式（２）におけるＲ２及びＲ３として例示した炭素数３〜１３の分岐アルキル基のうち、炭素数３〜１２の分岐アルキル基に相当するものが挙げられる。
炭素数１〜１１の直鎖アルキル基としては、一般式（２）におけるＲ２及びＲ３として例示した炭素数１〜１３の直鎖アルキル基のうち、炭素数１〜１１の直鎖アルキル基に相当するものが挙げられる。
炭素数３〜１１の分岐アルキル基としては、一般式（２）におけるＲ２及びＲ３として例示した炭素数３〜１３の分岐アルキル基のうち、炭素数３〜１１の分岐アルキル基に相当するものが挙げられる。
【００２５】
一般式（４）におけるＲ８〜Ｒ12の合計炭素数は２〜１３であり、粘度指数向上効果の観点から好ましくは４〜１３、更に好ましくは５〜１３である。
【００２６】
一般式（４）で表される基としては、イソブチル基、ｔ−ブチル基、１，２−ジメチル−ｎ−プロピル基、２−エチル−ｎ−ブチル基、１，１，２−トリメチル−ｎ−プロピル基、１，１，２，２−テトラメチル−ｎ−プロピル基、１−メチル−２−ｎ−プロピル−ｎ−ペンチル基、２−エチル−ｎ−ヘキシル基、２−ｎ−ブチル−ｎ−ペンチル基、２−ｎ−プロピル−ｎ−ヘキシル基、２−エチル−ｎ−ヘプチル基、１，１，２，２−テトラメチル−ｎ−ペンチル基、２，４，６−トリメチル−ｎ−ヘプチル基、１−（１’−メチル−ｎ−プロピル）−２−メチル−ｎ−ペンチル基、２−イソプロピル−ｎ−オクチル基、２，２−ジメチル−ｎ−ヘプチル基、２−メチル−ｎ−ノニル基、１，１，２−トリメチル−２−エチル−ｎ−ヘキシル基、２−エチル−ｎ−ノニル基、２−イソペンチル−ｎ−ノニル基、２−メチル−ｎ−デシル基、２−ｔ−ブチル−ｎ−デシル基、２−メチル−ｎ−デシル基、２−メチル−ｎ−ウンデシル基、２−イソブチル−ｎ−ウンデシル基、２−エチル−ｎ−ドデシル基、２−エチル−ｎ−トリデシル基及び２−メチル−ｎ−テトラデシル基等が挙げられる。
【００２７】
単量体（ａ）のうち、一般式（１）におけるＹが一般式（２）で表される基であるものの具体例としては、（メタ）アクリル酸イソプロピル、（メタ）アクリル酸１−メチル−ｎ−ブチル、（メタ）アクリル酸１−メチル−ｎ−ペンチル、（メタ）アクリル酸１−エチル−２，２−ジメチル−ｎ−プロピル、（メタ）アクリル酸１−メチル−ｎ−ヘキシル、（メタ）アクリル酸１−プロピル−ｎ−ヘキシル、（メタ）アクリル酸１−ｎ−プロピル−ｎ−オクタン、（メタ）アクリル酸１，１−ジメチル−ｎ−デシル、エチレングリコールモノ（１，３−ジメチル−ｎ−デシル）エーテルと（メタ）アクリル酸とのエステル、（メタ）アクリル酸１−メチル−ｎ−ノニル、（メタ）アクリル酸１−メチル−ｎ−デシル、メタクリル酸１−イソブチル−１−メチル−ｎ−ヘキシル、ジエチレングリコールモノ（１−イソブチル−３，５，７−トリメチル−ｎ−オクチル）エーテルと（メタ）アクリル酸とのエステル、（メタ）アクリル酸１−エチル−ｎ−デシル、（メタ）アクリル酸１−メチル−ｎ−ウンデシル、（メタ）アクリル酸１−エチル−３−メチル−ｎ−デシル、（メタ）アクリル酸１−エチル−１，３−ジメチル−ｎ−デシル、（メタ）アクリル酸１−ｎ−ペンチル−ｎ−デシル、（メタ）アクリル酸１−エチル−ｎ−トリデシル等が挙げられる。なお、「（メタ）アクリル酸」は、アクリル酸又はメタクリル酸を意味する。
【００２８】
単量体（ａ）のうち、一般式（１）におけるＹが一般式（３）で表される基であるものの具体例としては、（メタ）アクリル酸イソペンチル、（メタ）アクリル酸３−メチル−ｎ−ペンチル、（メタ）アクリル酸３−エチル−ｎ−ペンチル、エチレングリコールモノ（３，３−ジメチル−ｎ−ヘキシル）エーテルと（メタ）アクリル酸とのエステル、（メタ）アクリル酸３−ｎ−プロピル−４，４−ジメチル−ｎ−ペンチル、（メタ）アクリル酸３，４，５−トリメチル−ｎ−ヘプチル、エチレングリコールモノ（３，３，５−トリメチル−ｎ−ヘプチル）エーテルと（メタ）アクリル酸とのエステル、（メタ）アクリル酸イソデシル、（メタ）アクリル酸４−イソプロピル−５，５−ジメチル−ｎ−ヘキシル、（メタ）アクリル酸３，４，５，６−テトラメチル−ｎ−ヘプチル、（メタ）アクリル酸３，１０−ジメチル−ｎ−ウンデシル、（メタ）アクリル酸３−メチル−４，４−ジイソプロピル−ｎ−ヘキシル、ジプロピレングリコールモノ（３−ｎ−ペンチル−ｎ−オクチル）エーテルと（メタ）アクリル酸とのエステル、（メタ）アクリル酸３−エチル−４，５，６−トリメチル−ｎ−オクチル、（メタ）アクリル酸３、５−ジエチル−ｎ−ノニル、（メタ）アクリル酸４，５，６，７−テトラメチル−ｎ−ノニル、（メタ）アクリル酸３−エチル−４−ｔ−ブチル−ｎ−ヘプチル及び（メタ）アクリル酸３−メチル−ｎ−テトラデシル等が挙げられる。
【００２９】
単量体（ａ）のうち、一般式（１）におけるＹが一般式（４）で表される基であるものの具体例としては、（メタ）アクリル酸イソブチル、（メタ）アクリル酸ｔ−ブチル、（メタ）アクリル酸１，２−ジメチル−ｎ−プロピル、（メタ）アクリル酸２−エチル−ｎ−ブチル、（メタ）アクリル酸１，１，２−トリメチル−ｎ−プロピル、（メタ）アクリル酸１，１，２，２−テトラメチル−ｎ−プロピル、（メタ）アクリル酸１−メチル−２−ｎ−プロピル−ｎ−ペンチル、（メタ）アクリル酸２−エチル−ｎ−ヘキシル、エチレングリコールモノ（２−エチル−ｎ−ヘキシル）エーテルと（メタ）アクリル酸とのエステル、プロピレングリコールモノ（２−ｎ−ブチル−ｎ−ペンチル）エーテルと（メタ）アクリル酸とのエステル、（メタ）アクリル酸２−ｎ−プロピル−ｎ−ヘキシル、（メタ）アクリル酸２−エチル−ｎ−ヘプチル、（メタ）アクリル酸１，１，２，２−テトラメチル−ｎ−ペンチル、メタクリル酸２，４，６−トリメチル−ｎ−ヘプチル、エチレングリコールモノ（２，４，６−トリメチル−ｎ−ヘプチル）エーテルと（メタ）アクリル酸とのエステル、（メタ）アクリル酸２−イソプロピル−ｎ−オクチル、メタクリル酸１−（１’−メチル−ｎ−プロピル）−２−メチル−ｎ−ペンチル、（メタ）アクリル酸２，２−ジメチル−ｎ−ヘプチル、（メタ）アクリル酸２−メチル−ｎ−ノニル、（メタ）アクリル酸１，１，２−トリメチル−２−エチル−ｎ−ヘキシル、（メタ）アクリル酸２−エチル−ｎ−ノニル、（メタ）アクリル酸２−イソペンチル−ｎ−ノニル、（メタ）アクリル酸２−メチル−ｎ−デシル、（メタ）アクリル酸２−ｔ−ブチル−ｎ−デシル、（メタ）アクリル酸２−メチル−ｎ−ウンデシル、（メタ）アクリル酸２−イソブチル−ｎ−ウンデシル、（メタ）アクリル酸２−エチル−ｎ−ドデシル、（メタ）アクリル酸２−エチル−ｎ−トリデシル及び（メタ）アクリル酸２−メチル−ｎ−テトラデシル等が挙げられる。
【００３０】
（Ａ）の溶解性パラメーター（以下ＳＰ値と略記する。）は、８．４〜９．７（ｃａｌ／ｃｍ３）１／２であり、粘度指数向上効果及び潤滑油組成物の低温粘度の観点から、好ましくは９．０〜９．５（ｃａｌ／ｃｍ３）１／２、更に好ましくは９．１〜９．３（ｃａｌ／ｃｍ３）１／２である。
なお、本発明におけるＳＰ値は、Ｆｅｄｏｒｓ法（Ｐｏｌｙｍｅｒ Ｅｎｇｉｎｅｅｒｉｎｇ ａｎｄ Ｓｃｉｅｎｃｅ，Ｆｅｂｕｒｕａｒｙ，１９７４，Ｖｏｌ．１４、Ｎｏ．２ Ｐ．１４７〜１５４）に記載の方法で算出される値である。
（Ａ）のＳＰ値は、（Ａ）を構成する単量体それぞれのＳＰ値を前記の方法で算出し、それぞれの単量体のＳＰ値を、構成単量体単位のモル分率に基づいて平均した値である。
（Ａ）のＳＰ値は、使用する単量体のＳＰ値、モル分率を適宜調整することにより８．４〜９．７（ｃａｌ／ｃｍ３）１／２にすることができる。
【００３１】
（Ａ）のＳＰ値と基油のＳＰ値の差の絶対値は、粘度指数向上効果及び潤滑油組成物の低温粘度の観点から、好ましくは０．５〜１．２であり、更に好ましくは０．６〜１．０、特に好ましくは０．７〜０．９である。
【００３２】
（Ａ）は、単量体（ａ）に加え、一般式（５）で表される単量体（ｂ）を構成単量体とする共重合体であることが、粘度指数向上効果の観点から好ましい。
【００３３】
【化５】
2012081180.tif 000007
【００３４】
Ｒ13は水素原子又はメチル基；Ｘ２は−Ｏ−又は−ＮＨ−で表される基；Ｒ14は炭素数１６〜６０の分岐アルキル基；Ａ２は炭素数２〜４のアルキレン基；ｎは０〜２０の数であり、ｎが２以上の場合のＡ２は同一でも異なっていてもよく、（Ａ２Ｏ）ｎ部分はランダム結合でもブロック結合でもよい。
【００３５】
一般式（５）におけるＲ13は、水素原子又はメチル基である。これらのうち、粘度指数向上効果の観点から好ましいのは、メチル基である。
【００３６】
一般式（５）におけるＸ２は、−Ｏ−又は−ＮＨ−で表される基である。これらのうち、粘度指数向上効果の観点から好ましいのは−Ｏ−で表される基である。
【００３７】
一般式（５）におけるＡ２は、炭素数２〜４のアルキレン基である。炭素数２〜４のアルキレン基としては、エチレン基、１，２−又は１，３−プロピレン基、及び１，２−、１，３−又は１，４−ブチレン基が挙げられる。これらのうち、粘度指数向上効果の観点から好ましいのは、エチレン基及び１，２−プロピレン基である。
【００３８】
一般式（５）におけるｎは０〜２０の数であり、粘度指数向上効果の観点から、好ましくは０〜５の数であり、更に好ましくは０〜２の数である。
一般式（５）におけるｎが２以上の場合のＡ２は同一でも異なっていてもよく、（Ａ２Ｏ）ｎ部分はランダム結合でもブロック結合でもよい。
【００３９】
一般式（５）におけるＲ14は、炭素数１６〜６０の分岐アルキル基である。
炭素数１６〜６０の分岐アルキル基としては、イソヘキサデシル基、２−ｎ−オクチル−ｎ−ノニル基、２−ｎ−ヘキシル−ｎ−ウンデシル基、２−エチル−ｎ−ペンタデシル基、２−（３’−メチル−ｎ−ヘキシル）−７−メチル−ｎ−ノニル基、イソオクタデシル基、１−ｎ−ヘキシル−ｎ−トリデシル基、２−エチル−ｎ−ヘプタデシル基、２−ｎ−オクチル−ｎ−ウンデシル基、イソイコシル基、１−ｎ−ウンデシル−ｎ−ドデシル基、１−ｎ−オクチル−ｎ−ペンタデシル基、２−ｎ−デシル−ｎ−ドデシル基、２−ｎ−デシル−ｎ−トリデシル基、２−ｎ−デシル−ｎ−テトラデシル基、２−（１’，４’，４’−トリメチル−ｎ−ペンチル）−５，７，７−トリメチル−ｎ−オクチル基、２−ドデシル−ｎ−ペンタデシル基、イソトリアコンチル基、２−ｎ−テトラデシル−ｎ−ヘプタデシル基、２−ｎ−テトラデシル−ｎ−オクタデシル基、２−ｎ−ヘキサデシル−ｎ−ヘプタデシル基、１−ｎ−ヘプチル−ｎ−トリアコンチル基、２−ｎ−ヘプタデシル−ｎ−イコシル基、１−ｎ−オクタデシル−ｎ−イコシル基、２−ｎ−ヘキサデシル−ｎ−ドコシル基、２−（１’，４’，４’−トリメチル−ｎ−ペンチル）−５，７，７−トリメチル−ｎ−トリアコンチル基、２−ｎ−イコシル−ｎ−ドコシル基、１−ｎ−イコシル−ｎ−テトラコシル基、２−エチル−４−ｎ−ブチル−ｎ−テトラコンチル基、２−ｎ−テトラコシル−ｎ−ヘキサコシル基、２−メチル−ｎ−ペンタコンチル基、２−ｎ−テトラデシル−ｎ−テトラコンチル基、２−ｎ−ドデシル−ｎ−ヘキサテトラコンチル基、２−（３’−メチル−ｎ−ヘキシル）−７−エチル−ｎ−ペンタコンチル基、１−ｎ−オクタコシル−ｎ−トリアコンチル基、１−ｎ−イコシル−ｎ−テトラコンチル基、２−ｎ−デシル−ｎ−ペンタコンチル基及びオレフィン［例えばプロピレンオリゴマー（１３〜２０量体）、エチレン／プロピレンオリゴマー（１８〜２８量体、モル比１６／１〜１／１１）及びイソブテンオリゴマー（１０〜１５量体）等］から得られるオキソアルコールから水酸基を除いた残基等が挙げられる。
炭素数１６〜６０の分岐アルキル基のうち、粘度指数向上効果の観点から好ましいのは、炭素数１６〜５０の分岐アルキル基であり、更に好ましいのは炭素数１６〜４４の分岐アルキル基、特に好ましいのは炭素数２０〜４０の分岐アルキル基である。
【００４０】
単量体（ｂ）の具体例としては、（メタ）アクリル酸イソヘキサデシル、（メタ）アクリル酸２−ｎ−オクチル−ｎ−ノニル、エチレングリコールモノ−２−エチル−ｎ−ペンタデシルエーテルと（メタ）アクリル酸とのエステル、（メタ）アクリル酸イソオクタデシル、（メタ）アクリル酸１−ヘキシル−ｎ−トリデシル、（メタ）アクリル酸２−エチル−ｎ−ヘプタデシル、（メタ）アクリル酸イソイコシル、（メタ）アクリル酸１−ｎ−オクチル−ｎ−ペンタデシル、（メタ）アクリル酸２−ｎ−デシル−ｎ−テトラデシル、（メタ）アクリル酸２−ｎ−ドデシル−ｎ−ペンタデシル、（メタ）アクリル酸イソトリアコンチル、（メタ）アクリル酸２−ｎ−テトラデシル−ｎ−ヘプタデシル、（メタ）アクリル酸２−ｎ−ヘキサデシル−ｎ−ヘプタデシル、（メタ）アクリル酸２−ｎ−ヘプタデシル−ｎ−イコシル、（メタ）アクリル酸２−ｎ−ヘキサデシル−ｎ−ドコシル、（メタ）アクリル酸２−ｎ−イコシル−ｎ−ドコシル、（メタ）アクリル酸２−ｎ−テトラコシル−ｎ−ヘキサコシル、（メタ）アクリル酸２−メチル−ｎ−ペンタコンチル、（メタ）アクリル酸２−ｎ−テトラデシル−ｎ−テトラコンチル、（メタ）アクリル酸２−ｎ−ドデシル−ｎ−ヘキサテトラコンチル、（メタ）アクリル酸１−ｎ−オクタコシル−ｎ−トリアコンチル、及びプロピレンオリゴマー（１３〜２０量体）から得られるオキソアルコールと（メタ）アクリル酸とのエステル等が挙げられる。
【００４１】
（Ａ）は、単量体（ａ）に加え、炭素数１〜４の直鎖アルキル基を有する（メタ）アクリル酸アルキルエステル（ｃ）及び／又は炭素数８〜３６の直鎖アルキル基を有する（メタ）アクリル酸アルキルエステル（ｄ）を構成単量体とする共重合体であることが、粘度指数向上効果の観点から好ましい。
【００４２】
炭素数１〜４の直鎖アルキル基を有する（メタ）アクリル酸アルキルエステル（ｃ）としては、（メタ）アクリル酸メチル、（メタ）アクリル酸エチル、（メタ）アクリル酸ｎ−プロピル及び（メタ）アクリル酸ｎ−ブチルが挙げられる。
（ｃ）のうち好ましいのは、炭素数１〜３の直鎖アルキル基を有する（メタ）アクリル酸エステルであり、更に好ましいのは（メタ）アクリル酸メチル及び（メタ）アクリル酸エチルであり、特に好ましいのは（メタ）アクリル酸メチルである。
【００４３】
炭素数８〜３６の直鎖アルキル基を有する（メタ）アクリル酸アルキルエステル（ｄ）としては、（メタ）アクリル酸ｎ−テトラデシル、（メタ）アクリル酸ｎ−ペンタデシル、（メタ）アクリル酸ｎ−ヘキサデシル、（メタ）アクリル酸ｎ−オクタデシル、（メタ）アクリル酸ｎ−イコシル、（メタ）アクリル酸ｎ−テトラコシル、（メタ）アクリル酸ｎ−トリアコンチル、（メタ）アクリル酸ｎ−ヘキサトリアコンチル等が挙げられる。
（ｄ）のうち好ましいのは、炭素数１２〜３２の直鎖アルキル基を有する（メタ）アクリル酸アルキルエステルであり、更に好ましいのは炭素数１６〜３０の直鎖アルキルを有する（メタ）アクリル酸エステル、特に好ましいのは炭素数１８〜２８の直鎖アルキルを有する（メタ）アクリル酸エステルである。
【００４４】
（Ａ）は、更に窒素原子含有ビニル単量体（ｅ）を構成単量体とする共重合体であることが、粘度指数向上効果の観点から好ましい。
窒素原子含有ビニル単量体（ｅ）としては、以下の単量体（ｅ１）〜（ｅ４）が挙げられる。
【００４５】
アミド基含有ビニル単量体（ｅ１）：
（メタ）アクリルアミド、モノアルキルアミノ（メタ）アクリルアミド［窒素原子に炭素数１〜４のアルキル基が１つ結合したもの；例えばＮ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等］、モノアルキルアミノアルキル（メタ）アクリルアミド［窒素原子に炭素数１〜４のアルキル基が１つ結合したアミノアルキル基（炭素数２〜６）を有するもの；例えばＮ−メチルアミノエチル（メタ）アクリルアミド、Ｎ−エチルアミノエチル（メタ）アクリルアミド、Ｎ−イソプロピルアミノ−ｎ−ブチル（メタ）アクリルアミド及びＮ−ｎ−又はイソブチルアミノ−ｎ−ブチル（メタ）アクリルアミド等］、ジアルキルアミノ（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、ジアルキルアミノアルキル（メタ）アクリルアミド［窒素原子に炭素数１〜４のアルキル基が２つ結合したアミノアルキル基（炭素数２〜６）を有するもの；例えばＮ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド及びＮ，Ｎ−ジ−ｎ−ブチルアミノブチル（メタ）アクリルアミド等］、Ｎ−ビニルカルボン酸アミド［Ｎ−ビニルホルムアミド、Ｎ−ビニルアセトアミド、Ｎ−ビニル−ｎ−又はイソプロピオニルアミド及びＮ−ビニルヒドロキシアセトアミド等］等のアミド基のみに窒素原子を有するものが挙げられる。なお、（メタ）アクリルアミドはアクリルアミド又はメタクリルアミドを意味する。
【００４６】
ニトロ基含有単量体（ｅ２）：
４−ニトロスチレン等が挙げられる。
【００４７】
１〜３級アミノ基含有ビニル単量体（ｅ３）：
１級アミノ基含有ビニル単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有ビニル単量体｛モノアルキルアミノアルキル（メタ）アクリレート［窒素原子に炭素数１〜６のアルキル基が１つ結合したアミノアルキル基（炭素数２〜６）を有するもの；例えばｔ−ブチルアミノエチル（メタ）アクリレート及びメチルアミノエチル（メタ）アクリレート等］、炭素数６〜１２のジアルケニルアミン［ジ（メタ）アリルアミン等］｝；３級アミノ基含有ビニル単量体｛ジアルキルアミノアルキル（メタ）アクリレート［窒素原子に炭素数１〜６のアルキル基が２つ結合したアミノアルキル基（炭素数２〜６）を有するもの；例えばジメチルアミノエチル（メタ）アクリレート及びジエチルアミノエチル（メタ）アクリレート等］、窒素原子を有する脂環式（メタ）アクリレート［モルホリノエチル（メタ）アクリレート等］、芳香族ビニル系単量体［ジフェニルアミン（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。なお、（メタ）アリルはアリル又はメタリルを意味し、（メタ）アクリレートはアクリレート又はメタクリレートを意味する。
【００４８】
ニトリル基含有ビニル単量体（ｅ４）：
（メタ）アクリロニトリル等が挙げられる。
【００４９】
（ｅ）のうち好ましいのは、（ｅ１）及び（ｅ３）であり、更に好ましいのは、ジフェニルアミン（メタ）アクリルアミド、ジメチルアミノエチル（メタ）アクリルアミド、ジエチルアミノエチル（メタ）アクリルアミド、ジメチルアミノプロピル（メタ）アクリルアミド、ジメチルアミノエチル（メタ）アクリレート及びジエチルアミノエチル（メタ）アクリレートである。
【００５０】
（Ａ）は、単量体（ａ）〜（ｅ）に加え、以下の単量体（ｆ）〜（ｎ）を構成単量体としてもよい。
【００５１】
脂肪族炭化水素系ビニル単量体（ｆ）；
炭素数２〜２０のアルケン（エチレン、プロピレン、ブテン、イソブチレン、ペンテン、ヘプテン、ジイソブチレン、オクテン、ドデセン及びオクタデセン等）及び炭素数４〜１２のアルカジエン（ブタジエン、イソプレン、１，４−ペンタジエン、１，６−ヘプタジエン及び１，７−オクタジエン等）等が挙げられる。
【００５２】
脂環式炭化水素系ビニル単量体（ｇ）；
シクロヘキセン、（ジ）シクロペンタジエン、ピネン、リモネン、インデン、ビニルシクロヘキセン及びエチリデンビシクロヘプテン等が挙げられる。
【００５３】
芳香族炭化水素系ビニル単量体（ｈ）；
スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼン及び２−ビニルナフタレン等が挙げられる。
【００５４】
ビニルエステル、ビニルエーテル、ビニルケトン類（ｉ）；
炭素数２〜１２の飽和脂肪酸のビニルエステル（酢酸ビニル、プロピオン酸ビニル、酪酸ビニル及びオクタン酸ビニル等）、炭素数１〜１２のアルキル、アリール又はアルコキシアルキルビニルエーテル（メチルビニルエーテル、エチルビニルエーテル、プロピルビニルエーテル、ブチルビニルエーテル、２−エチルヘキシルビニルエーテル、フェニルビニルエーテル、ビニル−２−メトキシエチルエーテル及びビニル−２−ブトキシエチルエーテル等）及び炭素数１〜８のアルキル又はアリールビニルケトン（メチルビニルケトン、エチルビニルケトン及びフェニルビニルケトン等）等が挙げられる。
【００５５】
エポキシ基含有ビニル単量体（ｊ）；
グリシジル（メタ）アクリレート及びグリシジル（メタ）アリルエーテル等が挙げられる。
【００５６】
ハロゲン元素含有ビニル単量体（ｋ）；
塩化ビニル、臭化ビニル、塩化ビニリデン、塩化（メタ）アリル及びハロゲン化スチレン（ジクロロスチレン等）等が挙げられる。
【００５７】
不飽和ポリカルボン酸のエステル（ｌ）；
不飽和ポリカルボン酸のアルキル、シクロアルキル又はアラルキルエステル［不飽和ジカルボン酸（マレイン酸、フマール酸及びイタコン酸等）の炭素数１〜８のアルキルジエステル（ジメチルマレエート、ジメチルフマレート、ジエチルマレエート及びジオクチルマレエート）］等が挙げられる。
【００５８】
ヒドロキシル基含有ビニル単量体（ｍ）；
ヒドロキシル基含有芳香族ビニル単量体（ｐ−ヒドロキシスチレン等）、ヒドロキシアルキル（炭素数２〜６）（メタ）アクリレート［２−ヒドロキシエチル（メタ）アクリレート、及び２−又は３−ヒドロキシプロピル（メタ）アクリレート等］、モノ−又はジ−ヒドロキシアルキル（炭素数１〜４）置換（メタ）アクリルアミド［Ｎ，Ｎ−ジヒドロキシメチル（メタ）アクリルアミド、Ｎ，Ｎ−ジヒドロキシプロピル（メタ）アクリルアミド、Ｎ，Ｎ−ジ−２−ヒドロキシブチル（メタ）アクリルアミド等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンモノオール又はアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］等が挙げられる。
【００５９】
ポリオキシアルキレン鎖含有ビニル単量体（ｎ）；
ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール（数平均分子量１００〜３００）モノ（メタ）アクリレート、ポリプロピレングリコール（数平均分子量１３０〜５００）モノ（メタ）アクリレート、メトキシポリエチレングリコール（数平均分子量１１０〜３１０）（メタ）アクリレート、ラウリルアルコールエチレンオキサイド付加物（２〜３０モル）（メタ）アクリレート及びモノ（メタ）アクリル酸ポリオキシエチレン（数平均分子量１５０〜２３０）ソルビタン等］等が挙げられる。
【００６０】
（Ａ）を構成する（ａ）の割合は、粘度指数向上効果及び潤滑油組成物の低温粘度の観点から、（Ａ）の重量に基づいて、好ましくは５〜９０重量％であり、更に好ましくは１０〜８０重量％、特に好ましくは２０〜７０重量％である。
（Ａ）を構成する（ｂ）の割合は、粘度指数向上効果及び潤滑油組成物の低温粘度の観点から、（Ａ）の重量に基づいて、好ましくは０〜９０重量％であり、更に好ましくは５〜７０重量％、特に好ましくは２０〜４０重量％である。
（Ａ）を構成する（ｃ）の割合は、粘度指数向上効果及び潤滑油組成物の低温粘度の観点から、（Ａ）の重量に基づいて、好ましくは０〜６０重量％であり、更に好ましくは１０〜６０重量％、特に好ましくは２０〜５０重量％である。
（Ａ）を構成する（ｄ）の割合は、粘度指数向上効果及び潤滑油組成物の低温粘度の観点から、（Ａ）の重量に基づいて、好ましくは０〜９０重量％であり、更に好ましくは５〜７０重量％、特に好ましくは２０〜４０重量％である。
（Ａ）を構成する（ｅ）の割合は、粘度指数向上効果及び潤滑油組成物の低温粘度の観点から、（Ａ）の重量に基づいて、好ましくは０〜１５重量％であり、更に好ましくは１〜１２重量％、特に好ましくは２〜８重量％である。
（Ａ）を構成する（ｆ）〜（ｎ）の割合は、粘度指数向上効果及び潤滑油組成物の低温粘度の観点から、（Ａ）の重量に基づいて、好ましくは０〜１０重量％であり、更に好ましくは１〜７重量％、特に好ましくは２〜５重量％である。
【００６１】
（Ａ）の重量平均分子量（以下Ｍｗと略記する。）は、粘度指数向上効果及び潤滑油組成物の低温粘度の観点から、好ましくは５，０００〜１，０００，０００であり、更に好ましい範囲は、潤滑油組成物の用途によって異なり、表１に記載の範囲である。
【００６２】
【表１】
2012081180.tif 000008
【００６３】
* ：オートマチックトランスミッション油
** ：ベルト−コンティニュアスリーバリュアブルトランスミッション油
*** ：マニュアルトランスミッション油
【００６４】
なお、（Ａ）のＭｗは、ゲルパーミュエーションクロマトグラフィーにより、以下の条件で測定することができる。
＜Ｍｗの測定条件＞
装置      ：「ＨＬＣ−８０２Ａ」［東ソー（株）製］
カラム    ：「ＴＳＫ  ｇｅｌ  ＧＭＨ６」［東ソー（株）製］２本
測定温度  ：４０℃
試料溶液  ：０．５重量％のテトラヒドロフラン溶液
溶液注入量：２００μｌ
検出装置  ：屈折率検出器
基準物質  ：標準ポリスチレン（ＴＳＫｓｔａｎｄａｒｄ
ＰＯＬＹＳＴＹＲＥＮＥ）１２点（分子量：５００、１，０５０、２，８００、５，９７０、９，１００、１８，１００、３７，９００、９６，４００、１９０，０００、３５５，０００、１，０９０，０００、２，８９０，０００）［東ソー（株）製］
【００６５】
（Ａ）の結晶化温度は、潤滑油組成物の低温粘度の観点から好ましくは−３０℃以下であり、更に好ましくは−４０℃以下、特に好ましくは−５０℃以下である。
なお、（Ａ）の結晶化温度は、示差走査熱量計「ユニックスＤＳＣ７」（ＰＥＲＫＩＮ−ＥＬＭＥＲ社製）を使用し、粘度指数向上剤５ｍｇを試料とし、１０℃／分の等温速度で１００℃から−６０℃まで冷却したときに観測される結晶化温度である。
【００６６】
（Ａ）は、公知の製造方法によって得ることができ、具体的には前記の単量体を溶剤中で重合触媒存在下に溶液重合することにより得る方法が挙げられる。
溶剤としては、トルエン、キシレン、炭素数９〜１０のアルキルベンゼン、メチルエチルケトン及び鉱物油等が挙げられる。
重合触媒としては、アゾ系触媒（アゾビスイソブチロニトリル及びアゾビスバレロニトリル等）、過酸化物系触媒（ベンゾイルパーオキサイド、クミルパーオキサイド及びラウリルパーオキサイド等）及びレドックス系触媒（ベンゾイルパーオキサイドと３級アミンの混合物等）が挙げられる。更に必要により、公知の連鎖移動剤（炭素数２〜２０のアルキルメルカプタン等）を使用することもできる。
重合温度は、好ましくは２５〜１４０℃であり、更に好ましくは５０〜１２０℃である。また、上記の溶液重合の他に、塊状重合、乳化重合又は懸濁重合により（Ａ）を得ることができる。
（Ａ）が共重合体である場合の重合形態としては、ランダム付加重合体又は交互共重合体のいずれでもよく、また、グラフト共重合体又はブロック共重合体のいずれでもよい。
【００６７】
本発明の粘度指数向上剤は、（Ａ）と、（Ａ）以外のアルキル（メタ）アクリル酸エステル（共）重合体（Ｂ）を併用してもよい。
（Ｂ）としては、（Ａ）以外のアルキル（メタ）アクリル酸エステル（共）重合体であれば特に限定しないが、炭素数１〜１５の直鎖アルキル基を有する（メタ）アクリル酸アルキルエステル（共）重合体等が挙げられる。
（Ｂ）の具体例としては、メタクリル酸ｎ−オクタデシル／メタクリル酸ｎ−ドデシル（モル比１０〜３０／９０〜７０）共重合体、メタクリル酸ｎ−テトラデシル／メタクリル酸ｎ−ドデシル（モル比１０〜３０／９０〜７０）共重合体、メタクリル酸ｎ−ヘキサデシル／メタクリル酸ｎ−ドデシル／メタクリル酸メチル（モル比２０〜４０／５５〜７５／０〜１０）共重合体及びアクリル酸ｎ−ドデシル／メタクリル酸ｎ−ドデシル（モル比１０〜４０／９０〜６０）共重合体等が挙げられ、これらは単独でも２種以上を併用してもよい。
【００６８】
（Ａ）と（Ｂ）を併用する場合の（Ｂ）の使用量は、（Ａ）の重量に基づいて、潤滑油組成物の低温粘度の観点から好ましくは０．０１〜３０重量％であり、更に好ましくは０．０１〜２０重量％、特に好ましくは０．０１〜１０重量％である。
【００６９】
本発明の潤滑油組成物は、本発明の粘度指数向上剤及び基油を含有してなる。基油としては、鉱物油（溶剤精製油、パラフィン油、イソパラフィンを含有する高粘度指数油、イソパラフィンの水素化分解による高粘度指数油及びナフテン油等）、合成潤滑油［炭化水素系合成潤滑油（ポリα−オレフィン系合成潤滑油等）及びエステル系合成潤滑油等］及びこれらの混合物が挙げられる。これらのうち好ましいのは鉱物油である。
【００７０】
基油の１００℃における動粘度（ＪＩＳ−Ｋ２２８３で測定したもの）は、粘度指数向上効果の観点から好ましくは１〜１５ｍｍ２／ｓであり、更に好ましくは２〜５ｍｍ２／ｓである。
基油の粘度指数（ＪＩＳ−Ｋ２２８３で測定したもの）は、粘度指数向上効果の観点から好ましくは９０以上であり、更に好ましくは１００以上である。
【００７１】
基油の曇り点（ＪＩＳ−Ｋ２２６９で測定したもの）は、好ましくは−５℃以下であり、更に好ましくは−１５℃以下である。基油の曇り点がこの範囲内であると潤滑油組成物の低温粘度が良好である。
【００７２】
本発明の潤滑油組成物における粘度指数向上剤の含有率は、基油の重量に基づいて、粘度指数向上剤中の（Ａ）の重量に換算して、好ましくは１〜３０重量％である。
潤滑油組成物がエンジン油として使用される場合には、１００℃の動粘度が４〜１０ｍｍ２／ｓの基油に、（Ａ）を２〜１０重量％含有しているものが好ましい。
潤滑油組成物がギヤ油として使用される場合には、１００℃の動粘度が２〜１０ｍｍ２／ｓの基油に、（Ａ）を３〜３０重量％含有しているものが好ましい。
潤滑油組成物が自動変速機油（ＡＴＦ及びｂｅｌｔ−ＣＶＴＦ等）として使用される場合には、１００℃の動粘度が２〜６ｍｍ２／ｓの基油に、（Ａ）を３〜２５重量％含有しているものが好ましい。
潤滑油組成物がトラクション油として使用される場合には、１００℃の動粘度が１〜５ｍｍ２／ｓの基油に、（Ａ）を０．５〜１０重量％含有しているものが好ましい。
【００７３】
本発明の潤滑油組成物は、各種添加剤を含有してもよい。添加剤としては、以下のものが挙げられる。
（１）清浄剤：
塩基性、過塩基性又は中性の金属塩［スルフォネート（石油スルフォネート、アルキルベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物；
（２）分散剤：
コハク酸イミド類（ビス−又はモノ−ポリブテニルコハク酸イミド類）、マンニッヒ縮合物及びボレート類等；
（３）酸化防止剤：
ヒンダードフェノール類及び芳香族２級アミン類等；
（４）油性向上剤：
長鎖脂肪酸及びそれらのエステル（オレイン酸及びオレイン酸エステル等）、長鎖アミン及びそれらのアミド（オレイルアミン及びオレイルアミド等）等；
（５）摩擦摩耗調整剤：
モリブデン系及び亜鉛系化合物（モリブデンジチオフォスフェート、モリブデンジチオカーバメート及びジンクジアルキルジチオフォスフェート等）等；
（６）極圧剤：
硫黄系化合物（モノ又はジスルフィド、スルフォキシド及び硫黄フォスファイド化合物）、フォスファイド化合物及び塩素系化合物（塩素化パラフィン等）等；
（７）消泡剤：
シリコン油、金属石けん、脂肪酸エステル及びフォスフェート化合物等；
（８）抗乳化剤：
４級アンモニウム塩（テトラアルキルアンモニウム塩等）、硫酸化油及びフォスフェート（ポリオキシエチレン含有非イオン性界面活性剤のフォスフェート等）等；
（９）腐食防止剤：
窒素原子含有化合物（ベンゾトリアゾール及び１，３，４−チオジアゾリル−２，５−ビスジアルキルジチオカーバメート等）等。
【実施例】
【００７４】
以下、実施例により本発明を詳細に説明するが、本発明はこれらに限定されるものではない。【００７５】
＜実施例１〜３１、比較例１〜１２＞
撹拌装置、加熱冷却装置、温度計及び窒素導入管を備えた反応容器に、トルエン２０重量部、表２に記載の単量体配合物１００重量部、表３に記載の重量部のドデシルメルカプタン（以下ＤＭと略記する。）、２，２−アゾビス（２，４−ジメチルバレロニトリル）（以下ＡＩＶＮと略記する。）、２，２−アゾビス（２−メチルブチロニトリル）（以下ＡＩＢＮと略記する。）を投入し、窒素置換を行った後、密閉下、表３に記載の重合温度、重合時間で重合反応を行った。室温まで冷却後、メタノール２００重量部を投入して得られた共重合体を析出させ、デカンテーションでメタノールを除去した。更にメタノール２００重量部を投入して１０分間撹拌後デカンテーションでメタノールを除去する工程を２回繰り返した後、１００℃で４時間減圧（−０．０９７ＭＰａ）乾燥し、共重合体（Ａ１）〜（Ａ３１）、（Ｈ１）〜（Ｈ１２）からなる粘度指数向上剤（Ｒ１）〜（Ｒ３１）、（Ｓ１）〜（Ｓ１２）を得た。得られた共重合体（Ａ１）〜（Ａ３１）、（Ｈ１）〜（Ｈ１２）のＳＰ値を上記の方法で計算し、Ｍｗ及び結晶化温度を上記の方法で測定した。結果を表３に示す。【００７６】
【表２】
2012081180.tif 000009
【００７７】
【表３】
2012081180.tif 000010
【００７８】
表２に記載の単量体（ａ）の組成は、表４に記載した通りである。【００７９】
【表４】
2012081180.tif 000011
【００８０】
表２に記載の単量体（ｂ）〜（ｆ）の組成は、以下に記載した通りである。
（ｂ−１）：メタクリル酸２−ｎ−デシル−ｎ−テトラデシル
（ｂ−２）：メタクリル酸２−ｎ−テトラデシル−ｎ−オクタデシル
（ｃ−１）：メタクリル酸メチル
（ｄ−１）：メタクリル酸ｎ−テトラデシル
（ｄ−２）：メタクリル酸ｎ−ヘキサデシル
（ｄ−３）：メタクリル酸ｎ−オクタデシル
（ｅ−１）：Ｎ，Ｎ−ジメチルアミノエチルメタクリレート
（ｅ−２）：Ｎ−ビニルピロリドン
（ｆ−１）：１−ドデセン【００８１】
＜実施例３２〜６２、比較例１３〜２４＞
撹拌装置を備えたステンレス製容器に、基油（ＳＰ値：８．３、１００℃の動粘度：４．２mm２／ｓ、粘度指数：１２８）を投入し、得られる潤滑油組成物の１００℃の動粘度が６．２±０．１(mm２／ｓ)になるように、それぞれ粘度指数向上剤（Ｒ１）〜（Ｒ３１）、（Ｓ１）〜（Ｓ１２）を添加し、潤滑油組成物（Ｘ１）〜（Ｘ３１）、（Ｙ１）〜（Ｙ１２）を得た。
潤滑油組成物（Ｘ１）〜（Ｘ３１）、（Ｙ１）〜（Ｙ１２）の粘度指数、低温粘度を以下の方法で測定した。結果を表５に示す。【００８２】
＜潤滑油組成物の粘度指数の測定方法＞
ＪＩＳ−Ｋ２２８３の方法で測定した。【００８３】
＜潤滑油組成物の低温粘度の測定方法＞
ＪＰＩ−５Ｓ−２６−８５の方法で−４０℃での粘度を測定した。【００８４】
【表５】
2012081180.tif 000012
【００８５】
表５の結果から明らかなように、本発明の粘度指数向上剤を含有してなる潤滑油組成物（実施例３２〜６２）は、比較例１３〜２４の潤滑油組成物と比較して、粘度指数向上効果が高く、低温粘度が低い。
【産業上の利用可能性】
【００８６】
本発明の粘度指数向上剤を含有してなる潤滑油組成物は、駆動系潤滑油（マニュアルトランスミッション油、デファレンシャルギヤ油、オートマチックトランスミッション油及びベルトＣＶＴ油等）、作動油（機械の作動油、パワーステアリング油及びショックアブソーバー油等）、エンジン油（ガソリン用及びディーゼル用等）及びトラクション油として好適である。
【国際調査報告】
2012081180.tif 000019
2012081180.tif 000020
2012081180.tif 000021
2012081180.tif 000022